(57)【要約】      （修正有）【課題】人体工学に符合し着用の快適度を高め、ケア効果を向上させるフットケアカバーを提供する。【解決手段】フットケアカバーは数量を限定しない側面被覆体、底部被覆体、及び複数の膜体により構成され、底部被覆体は、各側面被覆体の底部に接合する。フットケアカバーは全面的に足部を包み込む他、ケア効果を向上させ、使用時には快適感を増強する。【選択図】図３
0003155063.tif 000002
【実用新案登録請求の範囲】
【請求項１】
最低、側面被覆体と底部被覆体を接合して構成されるフットケアカバーにおいて、
側面被覆体の適当箇所に開口を設け、開口箇所以外の周囲に接合部を設け、また、底部被覆体の周囲を接合部とし、側面被覆体下部エッジの接合部と底部被覆体周囲の接合部を結合することを特徴とするフットケアカバー。
【請求項２】
前記各側面被覆体内側には側面膜体を貼り付けることを特徴とする請求項１記載のフットケアカバー。
【請求項３】
前記底部膜体は底部の被覆体内側に貼り付けることを特徴とする請求項１記載のフットケアカバー。
【請求項４】
前記側面膜体には化粧品物質を塗布するか含ませることを特徴とする請求項２または３記載のフットケアカバー。
【請求項５】
前記底部被覆体の適当箇所には折り目を設けることを特徴とする請求項１記載のフットケアカバー。
【請求項６】
前記底部膜体には、化粧品物質を塗布するか含ませることを特徴とする請求項３記載のフットケアカバー。
【請求項７】
前記側面被覆体の数量は一枚、二枚、三枚、或いは四枚の何れか一つであることを特徴とする請求項１記載のフットケアカバー。
【考案の詳細な説明】
【技術分野】
【０００１】
本考案のフットケアカバーは、人体の足部に着用するエステティックサポート商品であり、特に、人体工学に符合し立体的なカット技術を具えたものである。
【背景技術】
【０００２】
一般には足部のエステには、図１や図２に示すような、フットケアカバーを着用する方式がある。このフットケアカバー１は靴下形状であり、対称的な二側面の被覆体１１を合わせ、上部に開放部１１１を設け、残りの側辺、底辺を接合部１１２とする。前記二側面の被覆体１１間には二つの膜体１２を配置し、前記膜体１２にはエステ用美白、スキンケアや角質除去用の化粧品物質を塗布するか含ませる。使用時は、足を開放部１１１からフットケアカバー１内に挿入し、適当な時間を経過させると、足部の美白、しっとり感を与える、角質除去する等の効果を発揮する。
【考案の概要】
【考案が解決しようとする課題】
【０００３】
公知のフットケアカバー１は、単純な二側面の被覆体１１を対称的に重ね合わせ、加えて接合部１１２を備えたものであり、その底部は非平面状である故、使用時は足底は不快であるだけでなく、足底が膜体１２に接触するのが難しく、よって、ケア効果を低下させる結果を生み、明らかに、公知のフットケア構造は理想的でなく、改善すべき空間が存在する。そこで、考案人はこれらの問題点に鑑み、特に、本案を研究開発した。
【課題を解決するための手段】
【０００４】
本考案「フットケアカバー」の主な目的は、立体構造が人体工学に符合する長所を備えることにより、着用の快適度を高め、膜体が足の何れの面にも完全に密着する故、ケア効果を高めるフットケアカバー構造の改善案を提供することにある。
【０００５】
上述目的を達成する為に提供する本考案は具体的に、フットケアカバーを伝統的な二枚式構造から、最低三枚式構造に変化させ、各側面と底面の繞設によって、全面的に足部を包み込むことを可能にするものである。
【０００６】
前記フットケアカバーを三枚式構造にする場合、両側の被覆体と、両側の被覆体の底部エリアに底部被覆体を設ける。
【０００７】
前記フットケアカバーを四枚式構造にする場合、順序通りに並べて接合した三枚の側面被覆体と、各側面被覆体の底部エリアに設ける底部被覆体を備える。
【０００８】
前記フットケアカバーは、五枚式構造とすることも可能であり、その場合、順序通りに並べて貼り合せた四枚の側面被覆体と、各側面被覆体の底部エリアに設けた底部被覆体を備える。
【０００９】
前記フットケアカバーの側面被覆体の数量は任意であり、一枚、二枚、三枚、四枚の何れか一つとし、需要に応じて更に多数とすることも可能である。
【考案の効果】
【００１０】
本考案のフットケアカバーは、人体工学に符合し立体的なカット技術を具えたもので、着用の快適度を高め、膜体が足の何れの面にも完全に密着する故、ケア効果を高める効果を有する。
【図面の簡単な説明】
【００１１】
【図１】公知のフットケアカバーに関する立体分解図である。
【図２】公知のフットケアカバーに関する組立構造図である。
【図３】本考案の立体分解図である。
【図４】本考案の立体組立外観図である。
【図５】本考案の使用状態図である。
【図６】本考案の実施例２に関する立体概略図である。
【図７】本考案の実施例３に関する立体概略図である。
【考案を実施するための形態】
【００１２】
以下、添付図面を参照して本考案の実施の形態を詳細に説明する。
【実施例】
【００１３】
図３及び図４のフットケアカバーに示す通り、二枚の側面被覆体２は、適当箇所に開口２１を備え、開口２１箇所以外の周囲を接合部２９とする。
【００１４】
底部被覆体３の周囲は接合部３９とし、接合部３９を各半分に分けて二枚の側面被覆体２下部エッジの接合部２９に結合する。また、底部被覆体３の適当箇所に折り目３１を設ける。
【００１５】
また、適当な二枚の側面膜体２２を二枚の側面被覆体２の内側に貼り付け、且つ底部膜体３２を底部被覆体３の上面に貼り付ける。
【００１６】
前述構造により本考案の立体構造を形成する。
【００１７】
図４の完成図から分かる通り、本考案は底部に平面状の底部被覆体３を備えている故、足部を入れると、足底はフラット状態の快適感を感じることができる。且つ、足底も完全に底部膜体３２と接触し、この点に本考案の進歩性がある。
【００１８】
伝統的なフットケアカバーの二枚式構造には折り畳みに便利な長所があるが、本考案もまた簡単に薄く折り畳みすることが可能である。本考案の底部被覆体３には折り目３１を設けており、出荷後、使用前には、折り目３１構造を使って底部被覆体３を二つに折り、二枚の側面被覆体２を重ね合わせて収納する状態を形成し、運送や包装に便利である。
【００１９】
本考案の材質は、コットン、不織布、或いはその他何れの使用に適する物質に限定されないものとする。
【００２０】
図６のフットケアカバーの実施例２に示す通り、その外部被覆体は、順序通りに並べて貼り合せた三枚の側面被覆体４１、４２、４３と、各側面被覆体４１、４２、４３の底部に周囲を接合した底部被覆体４４とを備え、前記構造により、立体形状を表し、全面的に人体足部の各周囲面と底面を包み込むものである。
【００２１】
更に、図７のフットケアカバーの実施例３に示す通り、その外部被覆体は、順序通りに並べて貼り合せた四枚の側面被覆体５１、５２、５３、５４と、各側面被覆体５１、５２、５３、５４底部に周囲を接合した底部被覆体５５とを備え、前記構造により、立体形状を表し、全面的に人体足部の各周囲面と底面を包み込むものである。
【００２２】
前記の何れの実施例において、側面被覆体が何れの数量であっても、内部膜体の数量は側面被覆体の枚数と同様とするのを最良とする。
【符号の説明】
【００２３】
１−−−−−フットケアカバー
１１−−−−側面被覆体
１１１−−−開放部
１１２−−−接合部
１２−−−−膜体
２−−−−−側面被覆体
２１−−−−開口
２２−−−−側面膜体
２９−−−−接合部
３−−−−−底部被覆体
３１−−−−折り目
３２−−−−底部膜体
３９−−−−接合部
４−−−−−フットケアカバー
４１−−−−側面被覆体
４２−−−−側面被覆体
４３−−−−側面被覆体
４４−−−−底部被覆体
５−−−−−フットケアカバー
５１−−−−側面被覆体
５２−−−−側面被覆体
５３−−−−側面被覆体
５４−−−−側面被覆体
５５−−−−底部被覆体
【図１】
0003155063.tif 000003
【図２】
0003155063.tif 000004
【図３】
0003155063.tif 000005
【図４】
0003155063.tif 000006
【図５】
0003155063.tif 000007
【図６】
0003155063.tif 000008
【図７】
0003155063.tif 000009